(57)【要約】【課題】所望の位置に配置された性能低下要因部の動作如何によらず通信品質を良好に保つことができる無線通信端末を提供すること。【解決手段】互いに離れて配置された第１のアンテナ１０７および第２のアンテナ１０９と、第２のアンテナ１０９よりも第１のアンテナに近接して配置され、動作すると第１のアンテナ１０７の性能が低下し得るカメラ１０３と、カメラ１０３の状態を検出する検出部１１３と、検出部１１３による検出の結果、カメラ１０３が停止していれば第１のアンテナ１０７を無線部１１７に接続し、動作していれば第２のアンテナ１０９を接続するよう制御する制御部１１１と、制御部１１１の制御に従ってアンテナを切り換える高周波スイッチ１１５とを備えて構成されている。【選択図】    図２
2004282480.tif 000002
【特許請求の範囲】
【請求項１】
互いに離れて配置された第１のアンテナおよび第２のアンテナと、
前記第２のアンテナよりも前記第１のアンテナに近接して配置され、動作すると前記第１のアンテナの性能が低下し得る性能低下要因部と、
前記性能低下要因部の状態を検出する検出手段と、
前記検出手段による検出の結果、前記性能低下要因部が停止している場合は前記第１のアンテナを選択し、前記低下要因部が動作している場合は前記第２のアンテナを選択して通信を行うよう切り替え制御する第１のアンテナ切替制御手段と、を備えたことを特徴とする無線通信端末。
【請求項２】
互いに離れて配置された第１のアンテナおよび第２のアンテナと、
前記第２のアンテナよりも前記第１のアンテナに近接して配置され、動作すると前記第１のアンテナの性能が低下し得る性能低下要因部と、
前記性能低下要因部を利用しない通信の開始時に操作される第１の選択手段と、
前記性能低下要因部を利用した通信の開始時に操作される第２の選択手段と、前記第１の選択手段が操作された場合は前記第１のアンテナを選択し、前記第２の選択手段が操作された場合は前記第２のアンテナを選択して通信を行うよう切り替え制御する第２のアンテナ切替制御手段と、を備えたことを特徴とする無線通信端末。
【請求項３】
互いに離れて配置された第１のアンテナおよび第２のアンテナと、
前記第２のアンテナよりも前記第１のアンテナに近接して配置され、動作すると前記第１のアンテナの性能が低下し得る性能低下要因部と、
前記性能低下要因部が動作する場合に外部接続装置を当該無線通信端末に接続するための接続手段と、
前記外部接続装置が前記接続手段を介して当該無線通信端末に接続されているか否かを検出する接続状態検出手段と、
前記接続状態検出手段による検出の結果、前記外部接続装置が前記接続手段に接続されている場合は前記第２のアンテナを選択し、前記外部接続装置が前記接続手段に接続されていない場合は前記第１のアンテナを選択して通信を行うよう切り替え制御する第３のアンテナ切替制御手段と、を備えたことを特徴とする無線通信端末。
【請求項４】
前記性能低下要因部は撮像を行う撮像手段であり、
当該無線通信端末の筐体内上端に設けられたことを特徴とする請求項１、２または３記載の無線通信端末。
【発明の詳細な説明】
【０００１】
【発明の属する技術分野】
本発明は、所望の位置に配置された性能低下要因部の動作如何によらず通信品質を良好に保つことができる無線通信端末に関する。
【０００２】
【従来の技術】
近年、携帯電話機に代表される無線通信端末に対して携帯性やデザイン性の向上が要望されているため、その筐体は小型化かつ薄型化されている。さらに携帯性やデザイン性を向上するためにアンテナを内蔵した無線通信端末も発売されている。また、撮像手段（カメラ）を備えた無線通信端末が普及しており、撮像手段で撮影した動画像の送信と音声データの送受信とを同時に行う動画像通信（テレビ電話）機能を有する無線通信端末も登場している（特許文献１参照）。
【０００３】
以下、図７および図８を参照して、撮像手段（カメラ）を備えアンテナを内蔵した従来の無線通信端末について説明する。図７はユーザが従来の無線通信端末で動画像通信を行う様子を示す図であり、図８はユーザが従来の無線通信端末で音声通信を行う様子を示す図である。
【０００４】
動画像通信では、無線通信端末を使用しているユーザ自身は、撮像手段で自身を撮影しながら音声の送受信（通話）を行う。図７に示すように、ユーザ４０１は、無線通信端末４０３を手に持ち筐体に搭載されたカメラで自身を撮影しながら、イヤホーンマイク４０５を使用して動画像通信を行う。同図を参照して、筐体下端４０７に配置されたカメラで撮影される顔画像と、筐体上端４０９に配置されたカメラで撮影される顔画像を比較する。まず、カメラが筐体下端４０７に配置されている場合、下方から見上げるアングルでユーザの顔画像が撮影されることになり、撮影されたユーザの顔画像は下膨れになり易い。一方、カメラが筐体上端４０９に配置されている場合、ユーザがカメラを見る視線と水平線とのなす角が、カメラが筐体下端４０７に配置されている場合に比べてφ度小さくなり、下膨れにならず良好な顔画像を撮影することができる。つまり、無線通信端末に搭載される撮像手段は、筐体上端４０９に配置されることが望ましい。
【０００５】
次に、内蔵型アンテナのアンテナ利得について説明する。発明者らによる実験の結果、内蔵型アンテナを指で触れるとアンテナ利得は２ｄＢ程度低下し、内蔵型アンテナを手で覆うとアンテナ利得は１５ｄＢ程度低下することが確認された。したがって、アンテナは、手で覆われたり指で触れられることのない位置に内蔵されるのが望ましい。
【０００６】
ところで、一般的にユーザが動画像通信を行う場合、図７に示すように、ユーザの手は筐体の下部を覆い、指は筐体下部に設けられた操作キーに触れることが多い。このため、動画像通信時には、アンテナは、筐体の中央より上部に内蔵されることが望ましい。また、図８に示すように、ユーザ４０１は、無線通信端末４０３を手で持ち、筐体上部に設けられたスピーカーを耳に当てて音声通信を行う。音声通信時の無線通信端末の持ち方はユーザによって異なるが、発明者らによる調査の結果、９２％のユーザが筐体上端に手や指が触れないように無線通信端末を持つことが確認された。このため、音声通信時には、アンテナは、筐体上部に内蔵されることが望ましい。したがって、音声通信と動画像通信を１本のアンテナで行う場合、アンテナは筐体上部に内蔵されることが望ましい。
【０００７】
以上説明したように、動画像通信時にユーザの顔画像を良好に撮影し、かつ、音声通信時および動画像通信時に高いアンテナ利得を得るためには、撮像手段（カメラ）および内蔵型アンテナは筐体の上部に配置されることが望ましい。但し、小型化かつ薄型化された筐体の上部に撮像手段および内蔵型アンテナを配置すると、これらは近接して配置されることとなる。
【０００８】
【特許文献１】
特開２００１−１０３００２号公報
【０００９】
【発明が解決しようとする課題】
しかしながら、撮像手段とアンテナとが近接して配置される上記従来の無線通信端末では、撮像手段の動作によって、アンテナ近傍の地板形状が変更されアンテナ性能の低下を招く恐れがある。また、上記従来の無線通信端末では、撮像手段を動作させて動画像通信を行う場合、筐体内部の制御部から当該撮像手段に数１０ＭＨｚの周波数成分を有する制御信号を伝達する必要がある。しかし、当該制御信号の高調波成分はアンテナで受信される受信周波数と同一になり得るため、アンテナに近接して配置された撮像手段を動作させると、当該高調波成分が妨害波としてアンテナに悪影響を与えてしまう。この結果、アンテナの受信感度が低下し、通信品質が悪くなるという問題がある。なお、発明者らの実験によって、無線通信端末の受信周波数が２ＧＨｚ程度で、内蔵型アンテナと撮像手段の距離が１ｍｍの場合、内蔵型アンテナの受信感度は１５ｄＢ程度抑圧されることが確認されている。
【００１０】
また、上述した受信感度の低下という問題を防止するために、撮像手段とアンテナとの距離を大きくすると、筐体が大型化してしまうため、携帯性やデザイン性が損なわれ商品価値が下がるといった問題がある。
【００１１】
本発明は、上記従来の事情および問題に鑑みてなされたものであって、所望の位置に配置された性能低下要因部の動作如何によらず通信品質を良好に保つことができる無線通信端末を提供することを目的としている。
【００１２】
【課題を解決するための手段】
上記目的を達成するために、本発明に係る無線通信端末は、互いに離れて配置された第１のアンテナおよび第２のアンテナと、前記第２のアンテナよりも前記第１のアンテナに近接して配置され、動作すると前記第１のアンテナの性能が低下し得る性能低下要因部と、前記性能低下要因部の状態を検出する検出手段と、前記検出手段による検出の結果、前記性能低下要因部が停止している場合は前記第１のアンテナを選択し、前記低下要因部が動作している場合は前記第２のアンテナを選択して通信を行うよう切り替え制御する第１のアンテナ切替制御手段と、を備えるものである。このように、性能低下要因部の状態によってアンテナが切り替わり性能低下要因部が動作している場合は、当該性能低下要因部との距離が第１のアンテナよりも遠い第２のアンテナを介して通信を行うため、性能低下要因部の動作如何によらず通信品質を良好に保つことができる。
【００１３】
また、本発明に係る無線通信端末は、互いに離れて配置された第１のアンテナおよび第２のアンテナと、前記第２のアンテナよりも前記第１のアンテナに近接して配置され、動作すると前記第１のアンテナの性能が低下し得る性能低下要因部と、前記性能低下要因部を利用しない通信の開始時に操作される第１の選択手段と、前記性能低下要因部を利用した通信の開始時に操作される第２の選択手段と、前記第１の選択手段が操作された場合は前記第１のアンテナを選択し、前記第２の選択手段が操作された場合は前記第２のアンテナを選択して通信を行うよう切り替え制御する第２のアンテナ切替制御手段と、を備えるものである。このため、第１の選択手段および第２の選択手段のいずれが操作されかによってアンテナが切り替わり、第２の選択手段が操作された場合は、性能低下要因部との距離が第１のアンテナよりも遠い第２のアンテナを介して通信を行うため、性能低下要因部の動作如何によらず通信品質を良好に保つことができる。
【００１４】
また、本発明に係る無線通信端末は、互いに離れて配置された第１のアンテナおよび第２のアンテナと、前記第２のアンテナよりも前記第１のアンテナに近接して配置され、動作すると前記第１のアンテナの性能が低下し得る性能低下要因部と、前記性能低下要因部が動作する場合に外部接続装置を当該無線通信端末に接続するための接続手段と、前記外部接続装置が前記接続手段を介して当該無線通信端末に接続されているか否かを検出する接続状態検出手段と、前記接続状態検出手段による検出の結果、前記外部接続装置が前記接続手段に接続されている場合は前記第２のアンテナを選択し、前記外部接続装置が前記接続手段に接続されていない場合は前記第１のアンテナを選択して通信を行うよう切り替え制御する第３のアンテナ切替制御手段と、を備えるものである。このように、外部接続装置が接続手段に接続されているか否かに応じてアンテナが切り替わり、外部接続装置が接続手段に接続されている場合は、性能低下要因部との距離が第１のアンテナよりも遠い第２のアンテナを介して通信を行うため、性能低下要因部の動作如何によらず通信品質を良好に保つことができる。
【００１５】
さらに、本発明に係る無線通信端末は、前記性能低下要因部は撮像を行う撮像手段であり、当該無線通信端末の筐体内上端に設けられるのが望ましい。
【００１６】
【発明の実施の形態】
以下、本発明に係る無線通信端末の実施の形態について、〔第１の実施形態〕、〔第２の実施形態〕、〔第３の実施形態〕の順に図面を参照して詳細に説明する。なお、第１〜第３の実施形態の無線通信端末は、音声データを送受信する音声通信（通話）や、音声データの送受信および動画像の送信を同時に行う動画像通信を行うものである。
【００１７】
〔第１の実施形態〕
図１は、本発明に係る第１の実施形態の無線通信端末の外観を示す図である。
図１の（ａ）は第１の実施形態の無線通信端末の正面図であり、（ｂ）は第１の実施形態の無線通信端末の背面図である。同図に示すように、第１の実施形態の無線通信端末１００は、筐体１０１と、特許請求の範囲の性能低下要因部に該当するカメラ（撮像素子）１０３とを備えて構成され、第１のアンテナ１０７と、第２のアンテナ１０９とが内蔵されている。筐体１０１は、ＡＢＳ樹脂で成型され、その前面にカメラ１０３や液晶表示部、操作キー等が配設されている。
【００１８】
次に、図２を参照して、本発明に係る第１の実施形態の無線通信端末１００の構成について説明する。図２は、第１の実施形態の無線通信端末１００の構成を示すブロック図である。同図に示すように、第１の実施形態の無線通信端末１００は、カメラ１０３と、制御部１１１と、高周波スイッチ１１５と、無線部１１７と、第１のアンテナ１０７と、第２のアンテナ１０９とを備えて構成されている。なお、制御部１１１は、検出手段に該当する検出部１１３を有している。また、制御部１１１および高周波スイッチ１１５は第１のアンテナ切換制御手段に該当する。
【００１９】
以下、本実施形態の無線通信端末１００が有する各構成要素について説明する。
まず、カメラ１０３は、筐体１０１の上端に設けられ、所定の操作キーが押下されることによって動画像または静止画像を撮影するものであり、主に、動画像通信が行われる際、無線通信端末１００のユーザ自身の顔画像を撮影するものである。すなわち、動画像通信を行う場合、ユーザは、カメラ１０３で撮影された自身の顔画像を送信しながら、同時に音声データの送受信を行う。なお、カメラ１０３は筐体１０１の上端に設けられているため、ユーザがカメラ１０３を見る視線と水平線とのなす角は小さくなる。このため、下膨れではない良好な顔画像を撮影することができる。
【００２０】
制御部１１１は、無線通信端末１００の制御を行うものであり、カメラ１０３が動作中か否かを検出する検出部１１３を有する。また、制御部１１１は、検出部１１３の検出結果に基づいて、第１のアンテナ１０７および第２のアンテナ１０９のいずれか一方を無線部１１７に接続するよう指示する制御信号を高周波スイッチ１１５に送信する。具体的には、制御部１１１は、カメラ１０３が動作している場合は、第２のアンテナ１０９を無線部１１７に接続するよう指示する制御信号を高周波スイッチ１１５に送信する。一方、制御部１１１は、カメラ１０３が動作していない場合は、第１のアンテナ１０７を無線部１１７に接続するよう指示する制御信号を高周波スイッチ１１５に送信する。
【００２１】
高周波スイッチ１１５は、制御部１１１から出力された制御信号に従って、第１のアンテナ１０７および第２のアンテナ１０９のいずれか一方を無線部１１７に接続するものである。無線部１１７は、第１のアンテナ１０７または第２のアンテナ１０９のいずれかを介して送受信される信号を処理するものである。
【００２２】
第１のアンテナ１０７および第２のアンテナ１０９は、筐体１０１に内蔵され、音声データや画像（動画像または静止画像）データの送受信を行うモノポールアンテナである。また、第１のアンテナ１０７および第２のアンテナ１０９は、高周波スイッチ１１５の切り換えによっていずれか一方が無線部１１７に接続される。しかし、一般に、アンテナを手で覆ったり指で触れたりするとアンテナの受信感度は低下するため、アンテナはユーザがあまり手で覆ったり指で触れたりしない位置に内蔵されるのが望ましい。
【００２３】
そこで、本実施形態では、第１のアンテナ１０７を、筐体１０１の上端に、カメラ１０３と近接して配置する。すなわち、第１のアンテナ１０７は、動画像通信時および音声通信時のいずれの場合であっても、ユーザによってあまり手で覆われたり指で触れられることのない位置に内蔵されている。一方、第２のアンテナ１０９は、筐体１０１の中央部より上で、かつカメラ１０３から１０ｍｍ以上下方に離れた位置に配置する。すなわち、第２のアンテナ１０９は、カメラ１０３が動作中であってもカメラ１０３からの妨害波等の影響を受けることなく、かつ、動画像通信時にはユーザによってあまり手で覆われたり指で触れられることのない位置に内蔵されている。
【００２４】
次に、本実施形態の無線通信端末１００の動作について、図２を参照して簡単に説明する。
まず、ユーザが音声通信を行う場合、制御部１１１は、カメラ１０３が動作していないという検出部１１３の検出結果に基づいて、第１のアンテナ１０７を無線部１１７に接続するよう高周波スイッチ１１５に指示を出す。当該指示に従って、高周波スイッチ１１５は、第１のアンテナ１０７を無線部１１７に接続する。一方、ユーザが動画像通信を行う場合、制御部１１１は、カメラ１０３が動作中であるという検出部１１３の検出結果に基づいて、第２のアンテナ１０９を無線部１１７に接続するよう高周波スイッチ１１５に指示を出す。当該指示に従って、高周波スイッチ１１５は、第２のアンテナ１０９を無線部１１７に接続する。
【００２５】
以上説明したように、第１の実施形態の無線通信端末１００では、カメラ１０３を筐体１０１の上端に設けているため、ユーザの顔画像を良好に撮影できる。また、第１のアンテナ１０７と比べて第２のアンテナ１０９をカメラ１０３から離して配置し、カメラ１０３が動作していない場合（音声通信時）には第１のアンテナ１０７を使って音声データの送受信を行い、カメラ１０３が動作している場合（動画像通信時）には第２のアンテナ１０９を使って動画像の送信および音声データの送受信を行っている。このため、カメラ１０３が動作する動画像通信時であってもカメラ１０３からの妨害波等によって受信感度（アンテナ性能）が低下することなく十分なアンテナ利得を確保できるため、通信品質を良好に保つことができる。
【００２６】
〔第２の実施形態〕
図３は本発明に係る第２の実施形態の無線通信端末の外観を示す図であり、図４は第２の実施形態の無線通信端末の構成を示すブロック図である。図３および図４において、図１および図２（第１の実施形態）と重複する部分には同一の符号を附して説明を省略する。
【００２７】
図３に示すように、第２の実施形態の無線通信端末２００は、筐体２０１と、カメラ１０３と、第１のアンテナ１０７と、第２のアンテナ１０９と、特許請求の範囲の第１の選択手段に該当する第１の操作キー２０５と、第２の選択手段に該当する第２の操作キー２０７と、を備えて構成されている。筐体２０１の前面には、カメラ１０３や第１の操作キー２０５、第２の操作キー２０７、液晶表示部等が配設されている。
【００２８】
次に、図４を参照して、本発明に係る第２の実施形態の無線通信端末２００の構成について説明する。同図に示すように、第２の実施形態の無線通信端末２００は、選択部２０９と、カメラ１０３と、制御部２１１と、高周波スイッチ１１５と、無線部１１７と、第１のアンテナ１０７と、第２のアンテナ１０９とを備えて構成されている。なお、制御部２１１および高周波スイッチ１１５は第２のアンテナ切換制御手段に該当する。
【００２９】
以下、本実施形態の無線通信端末２００が有する各構成要素について説明する。
まず、選択部２０９は、第１の操作キー２０５や第２の操作キー２０７といった複数の操作キーを有するものであり、ユーザによる押下操作に応じて、いずれの操作キーが押下されたかを示す信号を制御部２１１に送出する。第１の操作キー２０５は、ユーザが音声通信を選択する場合に押下する操作キーであり、音声通信の開始時（発呼または着呼する際）に押下するものである。第２の操作キー２０７は、ユーザが動画像通信を選択する場合に押下する操作キーであり、動画像通信の開始時（発呼または着呼する際）に押すものである。
【００３０】
制御部２１１は、無線通信端末２００の制御を行うものであり、選択部２０９から送出された信号に応じて、第１のアンテナ１０７および第２のアンテナ１０９のいずれか一方を無線部１１７に接続するよう指示する制御信号を高周波スイッチ１１５に送信する。具体的には、制御部２１１は、第１の操作キー２０５が押下された場合、つまり、音声通信が行われる場合は、第１のアンテナ１０７を無線部１１７に接続するよう指示する制御信号を高周波スイッチ１１５に送信する。一方、制御部２１１は、第２の操作キー２０７が押下された場合、つまり、動画像通信が行われる場合は、第２のアンテナ１０９を無線部１１７に接続するよう指示する制御信号を高周波スイッチ１１５に送信する。
【００３１】
次に、本実施形態の無線通信端末２００の動作について、図４を参照して簡単に説明する。まず、第１の操作キー２０５が押下されると、当該押下操作が行われたことを示す信号が制御部２１１に送出され、制御部２１１は、当該信号に応じて第１のアンテナ１０７を無線部１１７に接続するよう高周波スイッチ１１５に指示を出す。一方、第２の操作キー２０７が押下されると、当該押下操作が行われたことを示す信号が制御部２１１に送出され、制御部２１１は、当該信号に応じて第２のアンテナ１０９を無線部１１７に接続するよう高周波スイッチ１１５に指示を出す。なお、高周波スイッチ１１５は、それぞれの指示に従って、第１のアンテナ１０７または第２のアンテナ１０９を無線部１１７に接続する。
【００３２】
以上説明したように、第２の実施形態の無線通信端末２００では、第１の操作キー２０５が押下された場合（音声通信時）には第１のアンテナ１０７を使って音声データの送受信を行い、第２の操作キー２０７が押下された場合（動画像通信時）にはカメラ１０３から離れた位置に内蔵された第２のアンテナ１０９を使って動画像の送信および音声データの送受信を行っている。
【００３３】
このように、選択部２０９のいずれの操作キーが押下されたかによってアンテナが切り換わるため、選択部２０９を利用した簡単な構成で、第１の実施形態と同様の効果が得られる。すなわち、ユーザの顔画像を良好に撮影でき、かつ、カメラ１０３が動作する動画像通信時であってもカメラ１０３からの妨害波等によって受信感度（アンテナ性能）が低下することなく、通信品質を良好に保つことができる。
【００３４】
〔第３の実施形態〕
図５は本発明に係る第３の実施形態の無線通信端末の外観を示す図であり、図６は第３の実施形態の無線通信端末の構成を示すブロック図である。図５および図６において、図１および図２（第１の実施形態）と重複する部分には同一の符号を附して説明を省略する。
【００３５】
図５に示すように、第３の実施形態の無線通信端末３００は、筐体３０１と、カメラ１０３と、第１のアンテナ１０７と、第２のアンテナ１０９と、特許請求の範囲の接続手段に該当する接続部３０３とを備えて構成されている。筐体３０１の前面には、カメラ１０３や液晶表示部、操作キー等が配設されている。外部接続装置３０５は、動画像通信時に用いられるもので、イヤホーン３０７とマイク３０９とを有する。ユーザは、イヤホーン３０７を耳に差し込んで音声を聞き、マイク３０９に向かって音声を発する。
【００３６】
次に、図６を参照して、本発明に係る第３の実施形態の無線通信端末３００の構成について説明する。同図に示すように、第３の実施形態の無線通信端末３００は、接続部３０３と、接続状態検出手段に該当する検出部３１１と、カメラ１０３と、制御部３１１と、高周波スイッチ１１５と、無線部１１７と、第１のアンテナ１０７と、第２のアンテナ１０９とを備えて構成されている。なお、制御部３１１および高周波スイッチ１１５は第３のアンテナ切換制御手段に該当する。
【００３７】
以下、本実施形態の無線通信端末３００が有する各構成要素について説明する。
まず、接続部３０３は、イヤホーンマイク等の外部接続装置３０５を無線通信端末３００に接続するためのものであり、外部接続装置３０５が接続されると、接続されたことを示す信号を検出部３１１に送信する。検出部３１１は、接続部３０３からの信号によって、接続部３０３に外部接続装置３０５が接続されたことを検出するものである。また、検出部３１１は、当該信号を受信すると、接続部３０３に外部接続装置３０５が接続されたことを示す検出信号を制御部３１３に送信する。
【００３８】
制御部３１３は、無線通信端末３００の制御を行うものであり、検出部３１１から送出された検出信号を受信すると、無線通信端末３００が動画像通信を行っていると判断し、第２のアンテナ１０９を無線部１１７に接続するよう指示する制御信号を高周波スイッチ１１５に送信する。
【００３９】
なお、高周波スイッチ１１５は、制御部３１３から制御信号を受け取った場合は第２のアンテナ１０９を無線部１１７に接続し、制御部３１３から制御信号を受け取らない場合、すなわち、外部接続装置３０５が接続部３０３に接続されない場合は第１のアンテナ１０７を無線部１１７に接続する。
【００４０】
次に、本実施形態の無線通信端末３００の動作について、図６を参照して簡単に説明する。まず、外部接続装置３０５が接続部３０３に接続されると、検出部３１１がその旨を示す検出信号を制御部３１３に送信する。制御部３１３は、当該検出信号を受信すると、第２のアンテナ１０９を無線部１１７に接続するよう指示する制御信号を高周波スイッチ１１５に送信する。当該制御信号を受信した高周波スイッチ１１５は、第２のアンテナ１０９を無線部１１７に接続する。
【００４１】
以上説明したように、第３の実施形態の無線通信端末３００では、外部接続装置３０５が接続部３０３に接続されたか否かに応じて、外部接続装置３０５が接続部３０３に接続された場合（動画像通信時）には第２のアンテナ１０９を使って動画像の送信および音声データの送受信を行い、外部接続装置３０５が接続部３０３に接続されない場合は第１のアンテナ１０７を無線部１１７に接続する。
【００４２】
このように、外部接続装置３０５が接続部３０３に接続されたか否かに応じてアンテナが切り換わるため、接続部３０３を利用した簡単な構成で、第１の実施形態と同様の効果が得られる。すなわち、ユーザの顔画像を良好に撮影でき、かつ、カメラ１０３が動作する動画像通信時であってもカメラ１０３からの妨害波等によって受信感度（アンテナ性能）が低下することなく通信品質を良好に保つことができる。
【００４３】
なお、第１〜第３の実施形態では、第１のアンテナ１０７および第２のアンテナ１０９がモノポールアンテナである場合を例に説明したが、第１のアンテナ１０７および第２のアンテナ１０９のいずれか一方は、逆Ｆアンテナやパッチアンテナ等の内蔵アンテナであってもよい。また、第１のアンテナ１０７および第２のアンテナ１０９のいずれか一方は、ホイップアンテナやヘリカルアンテナ等の外付けアンテナであってもよい。この場合、外付けアンテナの伸縮性の有無は問わない。また、無線通信端末は２本以上のアンテナを備えてもよい。
【００４４】
また、第１〜第３の実施形態では、アンテナ性能を低下させる要因（性能低下要因部）としてカメラ１０３を例に説明したが、カメラ以外にＧＰＳ（Ｇｌｏｂａｌ  Ｐｏｓｉｔｉｏｎｉｎｇ  Ｓｙｓｔｅｍ）やＢｌｕｅｔｏｏｔｈ等の通信装置が性能低下要因部になる場合であっても、同様の効果が得られる。
【００４５】
【発明の効果】
以上説明したように、本発明に係る無線通信端末によれば、所望の位置に配置された性能低下要因部の動作如何によらず通信品質を良好に保つことができる。
【図面の簡単な説明】
【図１】本発明に係る第１の実施形態の無線通信端末の外観を示す図であり、（ａ）は第１の実施形態の無線通信端末の正面図、（ｂ）は第１の実施形態の無線通信端末の背面図である。
【図２】第１の実施形態の無線通信端末の構成を示すブロック図である。
【図３】本発明に係る第２の実施形態の無線通信端末の外観を示す図である。
【図４】第２の実施形態の無線通信端末の構成を示すブロック図である。
【図５】本発明に係る第３の実施形態の無線通信端末の外観を示す図である。
【図６】第３の実施形態の無線通信端末の構成を示すブロック図である。
【図７】ユーザが従来の無線通信端末で動画像通信を行う様子を示す図である。
【図８】ユーザが従来の無線通信端末で音声通信を行う様子を示す図である。
【符号の説明】
１００，２００，３００  無線通信端末
１０１，２０１，３０１  筐体
１０３  カメラ
１０７  第１のアンテナ
１０９  第２のアンテナ
１１１，３１３  制御部
１１３，３１１  検出部
１１５  高周波スイッチ
１１７  無線部
２０５  第１の操作キー
２０７  第２の操作キー
２０９  選択部
３０３  接続部
３０５  外部接続装置
３０７  イヤホーン
３０９  マイク
【図１】
2004282480.tif 000003
【図２】
2004282480.tif 000004
【図３】
2004282480.tif 000005
【図４】
2004282480.tif 000006
【図５】
2004282480.tif 000007
【図６】
2004282480.tif 000008
【図７】
2004282480.tif 000009
【図８】
2004282480.tif 000010